(57)【要約】【課題】薄くて背の高い大型の物品であっても、転倒させることなく容易に取り出すことができる梱包箱を提供する【解決手段】前後の主板２の上下中央よりも下方位置に横向きの中間折り線gをそれぞれ形成し、この中間折り線ｇより上方の主板上半部２ａを、中間折り線gを介して外方に折り倒し可能に構成し、折り倒した各主板上半部２ａの下端部が接地した開脚姿勢に保持する開脚保持部材１５を備える。【選択図】図６
2014019477.tif 000002
【特許請求の範囲】
【請求項１】
物品を収容する梱包箱であって、
前後の両主板の少なくともいずれか一方の主板に、中間折り線が形成され、前記少なくともいずれか一方の主板の前記中間折り線よりも上方の上半部が、前記中間折り線を介して外方に折り倒されて、上半部の端部が前後の少なくともいずれか一方に接地した開脚姿勢に保持される、
ことを特徴とする梱包箱。
【請求項２】
前後の各主板に、中間折り線がそれぞれ形成され、前記各主板の前記中間折り線よりも上方の各上半部が、前記中間折り線を介して前後外方にそれぞれ折り倒されて、各上半部の端部が前後にそれぞれ接地した開脚姿勢に保持される、
請求項１に記載の梱包箱。
【請求項３】
前記中間折り線は、前記主板の上下中央よりも下方位置に横向きに形成され、
前記上半部の上端部に箱上端開口を閉じる上フラップを連設し、前記上半部を外方に折り倒した前記開脚姿勢において、前記上フラップが接地する、
請求項１または２に記載の梱包箱。
【請求項４】
前記開脚姿勢に保持する開脚保持部材を備え、
前記開脚保持部材が、前記中間折り線の近傍において、前記主板の上半部と下半部とに亘って装着される、
請求項１ないし３のいずれかに記載の梱包箱。
【請求項５】
前記開脚保持部材が、前記中間折り線に臨んで形成した凹部に脱着可能に係止装着される、
請求項４に記載の梱包箱。
【請求項６】
左右の横側板の内面に沿って、断面形状が内向きコの字形のコーナー部材が、脱着自在に装着される、
請求項１ないし５のいずれかに記載の梱包箱。
【請求項７】
前記開脚保持部材が、前記主板の上半部と前記コーナー部材とに亘って脱着自在に係止装着されるジョイント部材である、
請求項６に記載の梱包箱。
【請求項８】
前記開脚保持部材が、前記中間折り線に臨んで前記主板の上半部と下半部の一方に切り込み形成された先拡がり形状の係止舌片である、
請求項４に記載の梱包箱。
【発明の詳細な説明】
【技術分野】
【０００１】
本発明は、薄型テレビなどの薄い縦型の物品を輸送あるいは保管するのに好適な梱包箱に関する。
【背景技術】
【０００２】
テレビの輸送に用いる梱包箱としては、物品を入れる浅いトレイとこれに被せる上箱とで構成されたものがある（例えば、特許文献１参照）。
【先行技術文献】
【特許文献】
【０００３】
【特許文献１】特開２００７−２２５３９号公報
【発明の概要】
【発明が解決しようとする課題】
【０００４】
上記構成の梱包箱では、開梱して物品を取り出す際、上箱を取り外して大きく露出させた物品を浅いトレイから持上げればよいので、一般の段ボール製の梱包箱のように、フラップを開いて上方に開放した梱包箱より物品を高く持上げる必要がなく、重い物品の梱包に有効に活用できるものであるが、薄型テレビなどの薄い縦型の物品の梱包においては使い勝手に問題が生じる。
【０００５】
すなわち、上記梱包箱では、開梱に際しては、収容した物品に接触しないように上箱を引き上げる必要があるのであるが、物品が薄型テレビであると、これに合わせて梱包箱も薄くて背の高いものとなり、上箱を高く引き上げる際に、上箱をテレビに接触させてしまいやすく、時には上箱でテレビを引っ掛けて転倒させてしまうおそれがある。特に、背の高い６０インチや７０インチの大型テレビにおいては、引き上げた上箱が天井につかえてしまうため、屋外で開梱しなければならない場合もあり、その際、風を受けてテレビが倒れてしまうこともある。
【０００６】
本発明は、このような実情に着目してなされたものであって、薄くて背の高い大型の物品であっても、転倒させることなく容易に取り出すことができる梱包箱を提供することを目的とする。
【課題を解決するための手段】
【０００７】
上記目的を達成するために、本発明では次のように構成している。
【０００８】
（１）本発明は、物品を収容する梱包箱であって、前後の両主板の少なくともいずれか一方の主板に、中間折り線が形成され、前記少なくともいずれか一方の主板の前記中間折り線よりも上方の上半部が、前記中間折り線を介して外方に折り倒されて、上半部の端部が前後の少なくともいずれか一方に接地した開脚姿勢に保持される。
【０００９】
この構成によると、開梱する際、前後の少なくともいずれか一方の主板の上半部を外方に折り倒し、開脚姿勢に保持して接地させることで、開梱操作中に梱包箱が転倒するのを防止することができる。
【００１０】
（２）本発明の好ましい実施態様では、前後の各主板に、中間折り線がそれぞれ形成され、前記各主板の前記中間折り線よりも上方の各上半部が、前記中間折り線を介して前後外方にそれぞれ折り倒されて、各上半部の端部が前後にそれぞれ接地した開脚姿勢に保持される。
【００１１】
この構成によると、開梱する際、前後の主板の上半部を前後外方にそれぞれ折り倒し、開脚姿勢に保持して接地させることで、開梱操作中に梱包箱が前後方向へ転倒するのを有効に防止することができる。
【００１２】
（３）本発明の他の実施態様では、前記中間折り線は、前記主板の上下中央よりも下方位置に横向きに形成され、前記上半部の上端部に箱上端開口を閉じる上フラップを連設し、前記上半部を外方に折り倒した前記開脚姿勢において、前記上フラップが接地する。
【００１３】
この構成によると、折り倒した主板の上半部に連設したフラップ部分が接地することになり、開脚した主板の上半部で梱包箱の起立姿勢を保持することができる。また、接地させたフラップを開梱作業者が踏みつけることで、収容した物品を持上げる際に、梱包箱が物品と共に持ち上がることを防止するのにも役立つ。
【００１４】
（４）本発明の他の実施態様においては、前記開脚姿勢に保持する開脚保持部材を備え、前記開脚保持部材が、前記中間折り線の近傍において、前記主板の上半部と下半部とに亘って装着される。
【００１５】
この構成によると、開脚保持部材を小型のものですますことができる。
【００１６】
（５）本発明の他の実施態様においては、前記開脚保持部材が、前記中間折り線に臨んで形成した凹部に脱着可能に係止装着される。
【００１７】
この構成によると、凹部によって開脚保持部材の装着位置が明確になるとともに、開脚保持部材の横方向への位置決めがなされ、適切な開脚保持状態に速やかに組上げることができる。
【００１８】
（６）本発明の他の実施態様においては、左右の横側板の内面に沿って、断面形状が内向きコの字形のコーナー部材が、脱着自在に装着される。
【００１９】
この構成によると、コーナー部材が、補強部材として機能すると共に、横側板の前後の少なくともいずれか一方の端辺と主板の上半部の横端辺との間に形成される隙間を塞ぐ部材としても機能する。
【００２０】
（７）本発明の他の実施態様においては、前記開脚保持部材が、前記主板の上半部と前記コーナー部材とに亘って脱着自在に係止装着されるジョイント部材である。
【００２１】
この構成によると、梱包状態において主板の上半部を固定するためのジョイント部材を開脚保持部材とすることで、専用の開脚保持部材を用意する必要がなくなる。
【００２２】
（８）本発明の他の実施態様においては、前記開脚保持部材が、前記中間折り線に臨んで前記主板の上半部と下半部の一方に切り込み形成された先拡がり形状の係止舌片である。
【００２３】
この構成によると、梱包箱の一部を開脚保持部材とすることで、開脚保持のための部材を別途用意する必要がなく、安価に実施することができる。
【発明の効果】
【００２４】
このように、本発明によれば、薄くて背の高い大型の物品であっても、転倒を防止して容易に開梱することができる。
【図面の簡単な説明】
【００２５】
【図１】梱包状態における梱包箱の斜視図である。
【図２】梱包箱を底側から見た斜視図である。
【図３】梱包箱素材の展開した正面図である。
【図４】組上げ中の梱包箱を示す斜視図である。
【図５】主側板を開いた梱包箱の斜視図である。
【図６】開梱状態の斜視図である。
【図７】開梱状態の縦断側面図である。
【図８】物品取り出し状態の斜視図である。
【図９】別実施形態における梱包箱素材の展開した正面図である。
【図１０】別実施形態における開脚保持構造を示す斜視図である。
【発明を実施するための形態】
【００２６】
以下、本発明の実施形態を図面に基づいて説明する。
【００２７】
図１および図２に、本発明の一実施形態に係る梱包箱１の外観が示されている。この梱包箱１は、薄型テレビ等を縦姿勢で収容梱包するよう構成されたものであり、板状の段ボール紙材を図３に示す形状に打ち抜いた素材１Ａを折って組み上げて、横幅および高さに対して前後幅が小さい縦長の箱体に組上げられている。
【００２８】
前記素材１Ａは、前後に対向配置されることになる一対の主板２と、左右に対向配置されることになる一対の縦長の横側板３とを折り線ａを介して交互に連設するとともに、一方の主板２の端辺にのり代４が折り線ｂを介して連設されている。また、各主板２の下端辺に、底板となる下部外フラップ５が折り線ｃを介して連設されるとともに、主板２の上端辺に、天蓋となる上部外フラップ６が折り線ｄを介して連設され、かつ、各横側板３の下端辺および上端辺には、下部内フラップ７と上部内フラップ８がそれぞれ折り線ｅ，ｆを介して連設されている。
【００２９】
また、主板２の上下中間には横向きの中間折り線ｇが形成されるとともに、この中間折り線ｇより上方では、主板２と横側板３とは切込みｈによって分断されている。これによって主板２の中間折り線ｇより上方の主板上半部２ａを、中間折り線ｇに沿って主板下半部２ｂの外側方に折り倒し可能に構成されている。ここで、前記中間折り線ｇは、主板２の高さの中央より少し下方位置に設定されており、従って、主板上半部２ａの高さＨ1が主板下半部２ｂの高さＨ2よりも少し高いものとなっている。
【００３０】
このように構成された素材１Ａは、図４に示すように、のり代４を一方の横側板３の内面に貼り合せ結合して筒状に構成した後、下部内フラップ７と下部外フラップ５を折り込んで底板を構成した上で、図２に示すように、下部外フラップ５の突き合わせ部位から横側板３に亘って粘着テープ９を貼り付けて、上方に開放された箱体を組上げる。
【００３１】
また、図４に示すように、横断面形状がコの字形に形成された一対のコーナー部材１０を、互いに内向きに対向するように、箱体の左右両横端部に上方から挿入する。このコーナー部材１０は、段ボール製の素材を折り曲げて構成されている。
【００３２】
ここで、主板２における主板上半部２ａの左右端部近くには、上下一対の矩形の透孔１１がそれぞれ打ち抜き形成されているとともに、これら透孔１１に重複するように、各コーナー部材１０にも同様な透孔１２が打ち抜き形成されており、重複した透孔１１，１２にジョイント部材１３を外側から挿入係止することで、主板２の主板上半部２ａがジョイント部材１３を介して各コーナー部材１０に連結固定されるようになっている。
【００３３】
このコーナー部材１０は、主板上半部２ａを、ジョイント部材１３を介して起立姿勢に固定する部材として機能するのみならず、横側板３の前後の端辺と主板上半部２ａの横端辺との間に形成される隙間が箱内部に直接に連通するのを塞ぐ部材としても機能する。
【００３４】
また、前記ジョイント部材１３は樹脂成形された周知構造のものであって、詳細な構造は図示しないが、外フランジａと内フランジの間に、重ねられた主板上半部２ａとコーナー部材１０との透孔縁を挟み込むように装着される。ジョイント部材ｂの内フランジは、外側からの指操作で内向きに折込み揺動されて透孔１１，１２に挿抜することができ、透孔１１，１２に挿入した状態で指操作を解除することで、上下に拡開復帰して孔縁に係止するようになっている。
【００３５】
図６に示すように、梱包に際しては、ビニール袋などで包装した物品ｗの四隅に、発泡樹脂材や紙材を成形してなるクッション材１４を嵌め付け装着した上で箱内に挿入し、その後、左右のコーナー部材１０の差し込み、ジョイント部材１３を介してコーナー部材１０と主板上半部２ａとの連結を行い、上部内フラップ８と上部外フラップ６を折り込んで上蓋を形成し、図１に示すように、粘着テープ１５を貼り付けて封緘する。
【００３６】
このように梱包された梱包箱１を開梱して、収容した物品ｗを取り出す手順を以下に説明する。
【００３７】
（１）先ず、縦姿勢の梱包箱１を床面上に起立載置した状態で、テープ封緘された上部外フラップ６および上部内フラップ８を開くとともに、ジョイント部材１３を取り外して、前後の主板２における主板上半部２ａとコーナー部材１０との連結を解除する。
【００３８】
（２）次に、連結解除によって自由となった前後の主板上半部２ａを中間折り線ｇに沿って外側に大きく折り倒し、その先端部に位置する上部外フラップ６を床面に接地させる。この場合、主板下半部の高さＨ2よりも主板上半部２ａの高さＨ1が少し大きく設定されているので、主板上半部２ａの先端に備えられた上部外フラップ６は主板２の主板下半部２ｂより外側箇所において床面に接地し、前後の主板上半部２ａは、下端を拡げた開脚姿勢となる。
【００３９】
（３）次に、取り外した８個ジョイント部材１３のうちの一部（この例では４個）は、折り倒した前後の主板上半部２ａを上記開脚姿勢に保持する開脚保持部材１５として利用される。つまり、主板２における折り倒し箇所の左右には、中間折り線ｇを跨ぐ縦長の透孔１６が予め打ち抜き形成されており、主板上半部２ａの折り倒しによって透孔１６がその中間で折り重ねされることで、中間折り線ｇ上には上向きに開放された凹部１７が形成される。この凹部１７に、ジョイント部材１３を連結使用時から直角に向きを変えた姿勢で上方から差込み装着し、ジョイント部材１３に備えられた内外のフランジで主板上半部２ａと主板下半部２ｂとを拡がり不能に係止する。
【００４０】
このジョイント部材１３（開脚保持部材１５）の装着によって、前後の主板上半部２ａは上方へ折り戻ることが阻止された開脚姿勢に保持され、開梱された梱包箱１の前後への転倒が阻止された状態がもたらされる。
【００４１】
（４）その後、主板上半部２ａとの連結が解除された左右のコーナー部材１０を上方に抜き取った後、物品ｗを上方に持上げて取り出す。この場合、物品ｗは主板２における主板下半部２ｂより上方まで持上げることになるが、物品ｗの高さの約半分程度持上げるだけで済む。
【００４２】
また、コーナー部材１０の抜き取り操作などにおいて不用意に梱包箱１に前後方向の外力が作用したとしても、開脚姿勢の主板下半部２ａがこれに耐え、梱包箱１が前方あるいは後方に倒れることを阻止する。
【００４３】
（他の実施形態）
本発明は、以下のような形態で実施することもできる。
【００４４】
（１）図９，図１０（ａ）に示すように、主板下半部２ｂに中間折り線ｇに臨む先拡がり形状の係止片１８を開脚保持部材１５として切込み形成するとともに、主板上半部２ａには、係止舌片１８の幅狭部と同程度の幅の折出し舌片１９を中間折り線ｇに臨んで切込み形成し、図１０（ｂ）に示すように、開脚姿勢に折り倒した主板上半部２ａの折出し舌片１９を外側に折り出して凹部２０を形成するとともに、主板下半部２ｂにおける係止舌片１８を外方に折り曲げて、その幅狭部を前記凹部２０に圧入係止することで、主板上半部２ａを開脚姿勢に保持することもできる。
【００４５】
（２）開脚保持部材１５としては、上記のように装備部品であるジョイント部材１３や主板２の一部を利用する他に、主板上半部２ａと主板下半部２ｂの折り曲げ稜線に挟み込み装着するクリップなどの専用の開脚保持部材１５を装備してもよい。
【００４６】
（３）上述の実施形では、主板上半部２ａを開梱時に開脚保持して、収容した物品ｗを取り出す場合について説明したが、物品ｗを起立した梱包箱１に縦姿勢で収容梱包する際にも、主板上半部２ａを開脚保持することで物品収容操作が容易なものとなる。
【００４７】
（４）上述の実施形態では、前後の主板２の各上半部２ａを、中間折り線ｇに沿って外側に折り倒して前後の床面に接地させたけれども、他の実施形態として前後の主板２の一方の主板２のみを折り倒して接地させるようにしてもよい。
【符号の説明】
【００４８】
１                梱包箱
２                主板
２ａ              主板下半部
２ｂ              主板上半部
３                横側板
１０              コ−ナー部材
１３              ジョイント部材
１５              開脚保持部材
１８              係止舌片
ｇ                中間折り線
【図１】
2014019477.tif 000003
【図２】
2014019477.tif 000004
【図３】
2014019477.tif 000005
【図４】
2014019477.tif 000006
【図５】
2014019477.tif 000007
【図６】
2014019477.tif 000008
【図７】
2014019477.tif 000009
【図８】
2014019477.tif 000010
【図９】
2014019477.tif 000011
【図１０】
2014019477.tif 000012